(57)【要約】【課題】玄米を精米から研米まで一貫して連続加工して、水で研がずに水を加えるだけでご飯がおいしく炊ける無洗米（無研米ともいう）に加工できる乾式精米及び研米加工装置を提供する。【解決手段】精米部分（１）と研米部分（２）を設けた胴体（３）を形成し、適度に傾斜して設け、その中に精米、研米ロール（８）を駆動回転可能に設け、精米排出口（９）と研米排出口（１０）に開閉蓋（１２）（１２）をバネ（１３）（１３）等で閉圧力をかけて設ける。又、開閉蓋（１２）（１２）が開放するための電磁ソレノイド（１４）（１４）を設ける。次に、精米摩擦部（５）と研米摩擦部（７）に孔（２６）を無数に設けた搗精網（１５）（１５）を設け、その全周に吸引部（１６）を設けてサイクロン（１８）とブロワ（２０）に配管接続したことを特徴とする。【選択図】　図１
2004130287.tif 000002
【特許請求の範囲】
【請求項１】
精米部分（１）と研米部分（２）を設けた胴体（３）を形成し、適度に傾斜して設け、その中に精米、研米ロール（８）を駆動回転可能に設け、精米排出口（９）と研米排出口（１０）に開閉蓋（１２）（１２）をバネ（１３）（１３）等で閉圧力をかけて設ける。又、開閉蓋（１２）（１２）が開放するための電磁ソレノイド（１４）（１４）を設け、次に、精米摩擦部（５）と研米摩擦部（７）に孔（２６）を無数に設けた搗精網（１５）（１５）を設け、その全周に吸引部（１６）（１６）を設けサイクロン（１８）とブロワ（２０）に配管接続し玄米を精米から研米まで加工できる乾式精米及び研米加工装置。
【請求項２】
精米、研米ロール（８）は、精米部分（１）と研米部分（２）を一軸とした、請求項１の乾式精米及び研米加工装置
【請求項３】
精米部分（１）と研米部分（２）を分離し、各々に精米ロールと研米ロールを駆動回転可能に設け、精米部分（１）と研米部分（２）を二段に組合わせた、請求項１の乾式精米及び研米加工装置。
【発明の詳細な説明】
【０００１】
【発明の属する技術分野】
この発明は、玄米を精米から研米まで一貫して連続加工して、水で研がずに水を加えるだけでご飯がおいしく炊ける無洗米（無研米ともいう）に加工できる乾式精米及び研米加工装置に関するものである。
【０００２】
【従来の技術】
従来、客が自分で玄米を持ってきて玄米を精米に加工するコイン精米所等は、各地域に設置されている。
又、精米機や無研米機はあるが、一つの機械で精米から研米までを一貫して加工できる装置や機械はなかった。
【０００３】
【発明が解決しようとする課題】
これには次のような欠点があった。
（イ）精米された白米はどうしても水で研がなければ、おいしいご飯を炊くことはできなかった。そのため、米で研ぐ時は米の体積の１０倍ぐらいの水を使い、それが米の研ぎ汁の汚水として川や下水へ流していた。したがって、川や海を汚染し大きな公害の原因であった。
（ロ）玄米を精米機で精米にし、別に研米機で研米し無洗米にするために、手間と時間を要した。精米から研米するためには種々な作業を含めると精米加工時間の約２，５倍ぐらいかかることになる。大変無駄な時間を要した。
（ハ）精米機と研米機の一体に組込まれた装置や機械は無いので、もし、精米と研米を連続して加工するようにするには、各々の機械を接続するための装置等の設備が必要となり、又、機械が別々であり高価になる欠点があった。
本発明は、以上の欠点を解決するためになされたものである。
【０００４】
【課題を解決るための手段】
（イ）精米部分（１）と研米部分（２）を設けた胴体（３）を形成し、適度に傾斜して設ける。
（ロ）精米部分（１）に精米研削送り部（４）と精米摩擦部（５）及び研米部分（２）に研米研削送り部（６）と研米摩擦部（７）を各々設けた一体の精米、研米ロール（８）を胴体（３）の中心に回転可能に組付け設ける。
（ハ）精米部分（１）の精米排出口（９）及び研米部分（２）の研米排出口（１０）にレバー（１１）（１１）で開閉自在とした開閉蓋（１２）（１２）を各々設けたバネ（１３）（１３）で常時閉じるように設ける。
又、レバー（１１）（１１）の他方に開閉蓋（１２）（１２）が開き開放するための電磁ソレノイド（１４（１４）を設ける。
（ニ）精米摩擦部（５）と研米摩擦部（７）に設けた搗精網（１５）（１５）の全周を囲い吸引部（１６）（１６）を設ける。
（ホ）吸引部（１６）（１６）より配管（１７）（１７）でサイクロン（１８）（１８）に接続し、その中心に糠とエアーの分離芯体（１９）（１９）を設け、さらにブロワ（２０）に配管（１７）で接続する。
（ヘ）ブロワ（２０）より排気口（３６）を設ける。
本発明は、以上のような構成より成る乾式精米及び研米連続加工装置。
【０００５】
【発明の実施の形態】
以下、本発明の実施の形態について説明する。
（イ）精米、研米ロール（８）の駆動回転はモーター（２１）等によりプリー（２２）（２３）にベルト（２４）を掛け駆動する。
（ロ）精米、研米ロール（８）は両側で軸受（２５）（２５）で保持する。
又、精米研削送り部（４）及び研米研削送り部（５）には、送り方向に合わせて螺旋スクリュー（２７）（２７）を形成し、又、精米摩擦部（５）及び研米摩擦部（６）には摩擦板（２８）（２８）（２８）（２８）を設ける。
（ハ）搗精網（１５）（１５）の全周に米が抜け出ない小さめの孔（２６）（２６）を無数に設ける。
（ニ）バネ（１３）（１３）は開閉蓋（１２）（１２）の閉圧力の調整ができるのが望ましい。
（ホ）精米精米部分（１）と研米部分（２）の中間に台形状の螺旋スクリュー（２９）を設けることもできる。
【０００６】
次に、異なった一実施例を説明すると、図７において、精米部分（１）と研米部分を上下二段に分けて水平に設ける。精米部分（１）には精米ロール（３０）と研米部分（２）には研米ロール（３１）を設け、各々にモーター（２１）（２１）等により駆動できるよう設ける。
本発明は、以上のように構成する。
本発明を使用する時は、図３に示すように、精米部分（１）より投入された玄米は精米研削送り部（４）で研削されながら送り、次に、精米摩擦部（５）で摩擦されながら玄米を精米し白米にする。糠は搗精網（１５）に設けられた孔（２６）より吸引しサイクロン（１８）へ送り、図１に示すようにエアーと糠は分離し、糠は糠室（３２）へ貯溜する。エアーはブロワ（２０）で吸引し排気する。精米の工程において、精米の仕上り具合は開閉蓋（１２）の閉じ圧力によって調整される。したがって、精米された米の押圧力で一定の押圧が働くと開閉蓋（１２）は押圧されながら開いて精米排出口（９）より白米となり排出し、胴体（３）が傾斜しているので、米（３３）は自然に研米部分（２）へ投下される。
【０００７】
次に、研米部分（２）において、研米工程は精米工程と同様で、米の押圧力で一定の押圧が働くと開閉蓋（１２）は押圧されながら開いて研米排出口（１０）より無洗米となって排出される。糠などは、ブロワ（２０）で吸引されるので無洗米に混入することはない。
【０００８】
次に、精米部分（１）及び研米部分（２）において、精米及び研米終了間近になると米の量が少なくなるために開閉蓋（１２）に押圧力が働らかなくなり、その開閉蓋（１２）は閉じてしまい残米として残ってしまうので、精米部分（１）と研米部分（２）に米の量が少なくなったら、そのまま開閉蓋（１２）は閉じた状態で一定の設定された時間、精米と研米加工を行い、その後、電磁ソレノイド（１４）（１４）が作動して吸着し図４に示すように開閉蓋（１２）（１２）が開き、精米排出口（９）及び研米排出口（１０）が押圧することがなく開放するので少量の米でも残米として残ることがなく全部排出する。
【０００９】
糠は搗精網（１５）（１５）に無数に設けた孔（２６）より吸引部（１６）の全周より吸引するので効率よく確実に吸い込み回収することができる。
【００１０】
図７の実施例においては、精米部分（１）と研米部分（２）が上下二段に組合せてあるので連続して精米と研米加工できる。
したがって、精米と研米加工が連続して同時にできるので大巾な時間短縮ができる。
【００１１】
【発明の効果】
（イ）精米と研米が連続して加工できるので、大巾な手間と時間が短縮できる。（ロ）胴体が傾斜しているので、米が途中に引掛かかり溜って残米として残ることがない。
（ハ）米に付着している糠などは確実に剥離し、精米摩擦部と研米摩擦部に設けた搗精網の全周より吸引するので劣化を防いだ無洗米加工ができる。
（ニ）糠はブロワにより吸引されてサイクロンにより分離し糠室に貯溜されるので、外部へ排出することがない。
（ホ）乾式で精米と研米加工するので汚水などの公害が発生しない。
（ヘ）又、精米と研米加工を上下二段に分離し組合わせて。精米と研米を連続して加工することもできる。
（ト）装置が小型化できるので安く製造できる。
（チ）本発明はコイン精米所のように、玄米投入から石抜機などを組合わせて無洗米加工し、袋詰まで一貫した機械システム化が可能で、コイン無洗米（無研米）所として、各地域に設置可能となる。
（リ）米を研がずに水を加えるだけでご飯をおいしく炊くことができるようになり、従来のように、とぎ汁が全ったく出ないので川や海を汚すことがなくなり公害の心配もない。
【図面の簡単な説明】
【図１】本発明の全体正面図
【図２】本発明の精米部分と研米部分の拡大断面図を示し、その中は正面図で示す
【図３】本発明の精米部分の拡大断面図を示し、米の研作と摩擦加工工程の使用例を示す
【図４】本発明の精米排出口、又は、研米排出口部分の拡大使用例を示す
【図５】本発明の図２中Ａ−Ａ、及び、Ｂ−Ｂ線の拡大断面図
【図６】本発明の図１中のＣ−Ｃ矢視の平面図
【図７】本発明の異なった一実施例を示す正面図で、一部分断面図で示す
【符号の説明】
１　精米部分
２　研米部分
３　胴体
４　精米研削送り部
５　精米摩擦部
６　研米研削送り部
７　研米摩擦部
８　精米、研米ロール
９　精米排出口
１０　研米排出口
１１　レバー
１２　開閉蓋
１３　バネ
１４　電磁ソレノイド
１５　搗精網
１６　吸引部
１７　配管
１８　サイクロン
１９　分離芯体
２０　ブロワ
２１　モーター
２２　プリー
２３　プリー
２４　ベルト
２５　軸受
２６　孔
２７　螺旋スクリュー
２８　摩擦板
２９　台形状の螺旋スクリュー
３０　精米ロール
３１　研米ロール
３２　糠室
３３　米
３４　玄米投入口
３５　研米投下口
３６　排気口
【図１】
2004130287.tif 000003
【図２】
2004130287.tif 000004
【図３】
2004130287.tif 000005
【図４】
2004130287.tif 000006
【図５】
2004130287.tif 000007
【図６】
2004130287.tif 000008
【図７】
2004130287.tif 000009